(57)【要約】【課題】記録媒体に記録されている画像と、撮像部で撮像した画像とを１画面に所定の配置で容易に表示できる画像表示装置を提供する。【解決手段】１画面表示モードにより、ＤＶＤ再生部２７が読み出した画像情報、または撮像部３０が撮像した撮像画像のいずれかを画像投写部１０に投写している状態において、所定の入力操作を受け付けた場合に、モード情報２１ａに２画面表示モードを設定し、ＤＶＤ再生部２７が読み出した画像情報と、撮像部３０が撮像した撮像画像とを所定の配置で画像投写部１０に投写させる。【選択図】図４
2012182612.tif 000002
【特許請求の範囲】
【請求項１】
記録媒体に記録された画像情報を読み出す読出部と、
前記読出部が読み出した前記画像情報に基づいて画像を表示する画像表示部と、
被写体を撮像して撮像画像を出力する撮像部と、
１つの画像を前記画像表示部に表示する１画面表示モードと、２つの異なる画像を所定の配置で前記画像表示部に表示する２画面表示モードとのいずれかを設定可能なモード情報を記憶する記憶部と、
入力操作を受け付ける入力操作部と、
当該画像表示装置の動作を制御する制御部と、を備えた画像表示装置であって、
前記制御部は、当該画像表示装置が、前記１画面表示モードにより、前記読出部が読み出した画像情報、または前記撮像部が撮像した撮像画像のいずれかを前記画像表示部に表示している状態において、所定の入力操作を受け付けた場合に、前記モード情報に前記２画面表示モードを設定し、前記読出部が読み出した画像情報と、前記撮像部が撮像した撮像画像とを前記画像表示部に表示させることを特徴とする、画像表示装置。
【請求項２】
請求項１に記載の画像表示装置であって、
前記制御部は、当該画像表示装置が、前記１画面表示モードにより、前記撮像部が撮像した撮像画像を前記画像表示部に表示している状態において、前記入力操作部が前記記録媒体に記録された画像情報の読出し操作を受け付けた場合に、前記モード情報に２画面表示モードを設定し、前記読出部が読み出した画像情報と、前記撮像部が撮像した撮像画像とを前記画像表示部に表示させ、
前記制御部は、当該画像表示装置が、前記２画面表示モードにより、前記読出部が読み出した画像情報と、前記撮像部が撮像した撮像画像と、を前記画像表示部に表示している状態において、前記入力操作部が前記記録媒体に記録された画像情報の読出し停止操作を受け付けた場合に、前記モード情報に一画面表示モードを設定し、前記撮像部が撮像した撮像画像を前記画像表示部に表示させることを特徴とする、画像表示装置。
【請求項３】
請求項１または２に記載の画像表示装置であって、
前記記録媒体が装置本体に装着されたことを検出する装着検出部をさらに備え、
前記制御部は、当該画像表示装置が、前記１画面表示モードにより、前記撮像部が撮像した撮像画像を前記画像表示部に表示している状態において、前記装着検出部により、前記記録媒体が装置本体に装着されたことを検出した場合に、前記モード情報に２画面表示モードを設定し、前記読出部が読み出した画像情報と、前記撮像部が撮像した撮像画像とを前記画像表示部に表示させ、
前記制御部は、当該画像表示装置が、前記２画面表示モードにより、前記読出部が読み出した画像情報と、前記撮像部が撮像した撮像画像とを前記画像表示部に表示している状態において、前記装着検出部により、前記記録媒体が装置本体から排出されたことを検出した場合に、前記モード情報に１画面表示モードを設定し、前記撮像部が撮像した撮像画像を前記画像表示部に表示させることを特徴とする、画像表示装置。
【請求項４】
請求項１から３のいずれか一項に記載の画像表示装置であって、
前記撮像部は当該画像表示装置本体に収納可能であり、
前記撮像部が、当該画像表示装置本体に収納された収納位置にあるか、または当該画像装置本体から引き出されて撮像可能な撮像位置のいずれにあるかを検出する撮像位置検出部をさらに備え、
前記制御部は、当該画像表示装置が、前記１画面表示モードにより、前記読出部が読み出した前記記録媒体の画像情報を前記画像表示部に表示している状態において、前記撮像位置検出部により前記撮像部が前記収納位置から前記撮像位置に移行したことを検出した場合に、前記モード情報に２画面表示モードを設定し、前記読出部が読み出した画像情報と、前記撮像部が撮像した撮像画像とを前記画像表示部に表示させ、
前記制御部は、当該画像表示装置が、前記２画面表示モードにより、前記読出部が読み出した画像情報と、前記撮像部が撮像した撮像画像とを前記画像表示部に表示している状態において、前記撮像位置検出部により前記撮像部が前記撮像位置から前記収納位置に移行したことを検出した場合に、前記モード情報に１画面表示モードを設定し、前記読出部が読み出した前記記録媒体の画像情報を前記画像表示部に表示させることを特徴とする、画像表示装置。
【請求項５】
請求項１から４のいずれか一項に記載の画像表示装置であって、
前記読出部は、前記記録媒体に記録された音声情報をさらに読出し、
当該画像表示装置本体に備えられ、前記音声情報を出力する音声出力部と、
外部音響機器より音声信号を入力する音声信号入力部と、
前記音声信号入力部に音声信号が入力されていることを検出する音声信号検出部と、
をさらに備え、
前記制御部は、当該画像表示装置が、前記読出部が読み出した前記記録媒体の音声情報を前記音声出力部に出力している状態において、前記音声信号検出部により前記外部音響機器の音声信号を検出した場合に、前記記録媒体の音声情報に前記音声信号を重畳させて、前記音声出力部に出力することを特徴とする、画像表示装置。
【請求項６】
記録媒体に記録されている画像情報を読み出す読出部と、
前記読出部が読み出した前記画像情報に基づいて画像を表示する画像表示部と、
被写体を撮像して撮像画像を出力する撮像部と、
１つの画像を前記画像表示部に表示する１画面表示モードと、２つの異なる画像を所定の配置で前記画像表示部に表示する２画面表示モードとのいずれかを設定可能なモード情報を記憶する記憶部と、を備えた画像表示装置の制御方法であって、
入力操作を受け付ける入力操作ステップと、
前記モード情報に前記１画面表示モード、または前記２画面表示モードのいずれかが設定されているかを判別するモード判別ステップと、
前記モード判別ステップにより、前記モード情報に前記１画面表示モードが設定されていることが判別された状態において、前記入力操作ステップにより、所定の入力操作を受け付けた場合に、前記モード情報に前記２画面表示モードを設定し、記読出部が読み出した画像情報と、前記撮像部が撮像した撮像画像とを前記画像表示部に表示させる２画面表示ステップと、
を有することを特徴とする、画像表示装置の制御方法。
【発明の詳細な説明】
【技術分野】
【０００１】
本発明は、記録媒体に記録されている画像情報を表示する画像表示部と、被写体を撮像する撮像部とを備えた画像表示装置、及びその制御方法に関する。
【背景技術】
【０００２】
画像を表示する画像表示装置（例えば、プロジェクター）において、ＤＶＤ（Ｄｉｇｉｔａｌ  Ｖｅｒｓａｔｉｌｅ  Ｄｉｓｃ）等の記録媒体に記録されている画像情報を再生するための画像再生手段を一体的に備えたものが知られている（特許文献１）。このような画像表示装置を用いれば、外部の画像再生装置を接続する必要なく、記録媒体に記録されている画像情報に基づく画像を容易に鑑賞することができる。
【０００３】
また、外部入力端子に接続した２つの入力画像を１画面に同時に表示する２画面表示機能が使われている。
【先行技術文献】
【特許文献】
【０００４】
【特許文献１】特開２００５−９９６１７号公報
【発明の概要】
【発明が解決しようとする課題】
【０００５】
このような画像表示装置を使い、カラオケなどで、歌っている人をカメラで撮像した画像と、音楽ＤＶＤメディア画像を一緒に表示して楽しみたいような場合、カメラを画像表示装置に接続して調整するなど、面倒な設定が必要だった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、記録媒体に記録された画像情報を読み出す読出部と、前記読出部が読み出した前記画像情報に基づいて画像を表示する画像表示部と、被写体を撮像して撮像画像を出力する撮像部と、１つの画像を前記画像表示部に表示する１画面表示モードと、２つの異なる画像を所定の配置で前記画像表示部に表示する２画面表示モードとのいずれかを設定可能なモード情報を記憶する記憶部と、入力操作を受け付ける入力操作部と、当該画像表示装置の動作を制御する制御部と、を備えた画像表示装置であって、前記制御部は、当該画像表示装置が、前記１画面表示モードにより、前記読出部が読み出した画像情報、または前記撮像部が撮像した撮像画像のいずれかを前記画像表示部に表示している状態において、所定の入力操作を受け付けた場合に、前記モード情報に前記２画面表示モードを設定し、前記読出部が読み出した画像情報と、前記撮像部が撮像した撮像画像とを前記画像表示部に表示させることを特徴とする。
【０００８】
本適用例によれば、複雑な接続操作や調整を必要とせずに、記録媒体に記録された画像情報と、撮像部が撮像した被写体の画像とを１画面内に所定の配置で表示し、容易に鑑賞することが可能となる。
【０００９】
［適用例２］上記適用例に記載の画像表示装置において、前記制御部は、当該画像表示装置が、前記１画面表示モードにより、前記撮像部が撮像した撮像画像を前記画像表示部に表示している状態において、前記入力操作部が前記記録媒体に記録された画像情報の読出し操作を受け付けた場合に、前記モード情報に２画面表示モードを設定し、前記読出部が読み出した画像情報と、前記撮像部が撮像した撮像画像とを前記画像表示部に表示させ、前記制御部は、当該画像表示装置が、前記２画面表示モードにより、前記読出部が読み出した画像情報と、前記撮像部が撮像した撮像画像と、を前記画像表示部に表示している状態において、前記入力操作部が前記記録媒体に記録された画像情報の読出し停止操作を受け付けた場合に、前記モード情報に一画面表示モードを設定し、前記撮像部が撮像した撮像画像を前記画像表示部に表示させることを特徴とする。
【００１０】
本適用例によれば、撮像部で撮像した画像を表示中に、記録媒体に記録された画像情報の読み出し、及び停止操作に連動し、撮像画像と記録媒体に記録された画像情報を表示する２画面表示モードと、撮像画像のみを表示する１画面表示モードが切り替えられるので、特別な操作を必要とせずに表示モードを切り替えることが可能になる。
【００１１】
［適用例３］上記適用例に記載の画像表示装置において、前記記録媒体が装置本体に装着されたことを検出する装着検出部をさらに備え、前記制御部は、当該画像表示装置が、前記１画面表示モードにより、前記撮像部が撮像した撮像画像を前記画像表示部に表示している状態において、前記装着検出部により、前記記録媒体が装置本体に装着されたことを検出した場合に、前記モード情報に２画面表示モードを設定し、前記読出部が読み出した画像情報と、前記撮像部が撮像した撮像画像とを前記画像表示部に表示させ、前記制御部は、当該画像表示装置が、前記２画面表示モードにより、前記読出部が読み出した画像情報と、前記撮像部が撮像した撮像画像とを前記画像表示部に表示している状態において、前記装着検出部により、前記記録媒体が装置本体から排出されたことを検出した場合に、前記モード情報に１画面表示モードを設定し、前記撮像部が撮像した撮像画像を前記画像表示部に表示させることを特徴とする。
【００１２】
本適用例によれば、撮像部で撮像した画像を表示中に、記録媒体の装着、及び排出操作に連動し、撮像画像と記録媒体に記録された画像情報を表示する２画面表示モードと、撮像画像のみを表示する１画面表示モードが切り替えられるので、特別な操作を必要とせずに表示モードを切り替えることが可能になる。
【００１３】
［適用例４］上記適用例に記載の画像表示装置において、前記撮像部は当該画像表示装置本体に収納可能であり、前記撮像部が、当該画像表示装置本体に収納された収納位置にあるか、または当該画像装置本体から引き出されて撮像可能な撮像位置のいずれにあるかを検出する撮像位置検出部をさらに備え、前記制御部は、当該画像表示装置が、前記１画面表示モードにより、前記読出部が読み出した前記記録媒体の画像情報を前記画像表示部に表示している状態において、前記撮像位置検出部により前記撮像部が前記収納位置から前記撮像位置に移行したことを検出した場合に、前記モード情報に２画面表示モードを設定し、前記読出部が読み出した画像情報と、前記撮像部が撮像した撮像画像とを前記画像表示部に表示させ、前記制御部は、当該画像表示装置が、前記２画面表示モードにより、前記読出部が読み出した画像情報と、前記撮像部が撮像した撮像画像とを前記画像表示部に表示している状態において、前記撮像位置検出部により前記撮像部が前記撮像位置から前記収納位置に移行したことを検出した場合に、前記モード情報に１画面表示モードを設定し、前記読出部が読み出した前記記録媒体の画像情報を前記画像表示部に表示させることを特徴とする。
【００１４】
本適用例によれば、記録媒体に記録された画像情報を表示中に撮像部を装置から引き出す、及び収納する操作に連動し、撮像画像と記録媒体に記録された画像情報を表示する２画面表示モードと、撮像画像のみを表示する１画面表示モードが切り替えられるので、特別な操作を必要とせずに表示モードを切り替えることが可能になる。
【００１５】
［適用例５］上記適用例に記載の画像表示装置において、前記読出部は、前記記録媒体に記録された音声情報をさらに読出し、当該画像表示装置本体に備えられ、前記音声情報を出力する音声出力部と、外部音響機器より音声信号を入力する音声信号入力部と、前記音声信号入力部に音声信号が入力されていることを検出する音声信号検出部と、をさらに備え、前記制御部は、当該画像表示装置が、前記読出部が読み出した前記記録媒体の音声情報を前記音声出力部に出力している状態において、前記音声信号検出部により前記外部音響機器の音声信号を検出した場合に、前記記録媒体の音声情報に前記音声信号を重畳させて、前記音声出力部に出力することを特徴とする。
【００１６】
本適用例によれば、記録媒体に記録された音声情報を読み出し中に、外部音響機器の音声信号を検出した場合に、外部音響機器の音声と記録媒体に記録された音声情報とを重畳させて音声出力部に出力する。これにより、特別な操作を必要とせずに、記録媒体に記録された音声情報と外部音響機器の音声を同時に鑑賞することが可能になる。
【００１７】
［適用例６］本適用例に係る画像表示装置の制御方法は、記録媒体に記録されている画像情報を読み出す読出部と、前記読出部が読み出した前記画像情報に基づいて画像を表示する画像表示部と、被写体を撮像して撮像画像を出力する撮像部と、１つの画像を前記画像表示部に表示する１画面表示モードと、２つの異なる画像を所定の配置で前記画像表示部に表示する２画面表示モードとのいずれかを設定可能なモード情報を記憶する記憶部と、を備えた画像表示装置の制御方法であって、入力操作を受け付ける入力操作ステップと、前記モード情報に前記１画面表示モード、または前記２画面表示モードのいずれかが設定されているかを判別するモード判別ステップと、前記モード判別ステップにより、前記モード情報に前記１画面表示モードが設定されていることが判別された状態において、前記入力操作ステップにより、所定の入力操作を受け付けた場合に、前記モード情報に前記２画面表示モードを設定し、記読出部が読み出した画像情報と、前記撮像部が撮像した撮像画像とを前記画像表示部に表示させる２画面表示ステップと、
を有することを特徴とする。
【００１８】
本適用例によれば、複雑な接続操作や調整を必要とせずに、記録媒体に記録された画像情報と、撮像部が撮像した被写体の画像とを１画面内に所定の配置で表示し、容易に鑑賞することが可能となる。
【図面の簡単な説明】
【００１９】
【図１】プロジェクターの斜視図であり、（ａ）は背面から見た図、（ｂ）は前面から見た図。
【図２】プロジェクターの撮像部を筐体から引き出した状態を示す図。
【図３】撮像画像と読出部が読み出した画像情報を２画面表示モードで投写している状態を示す図。
【図４】プロジェクターの回路構成を示すブロック図。
【図５】プロジェクターの動作を示すフローチャートであり、（ａ）はＤＶＤメディア再生操作及び挿入検出時の動作、（ｂ）はＤＶＤメディア再生停止及び排出操作検出時の動作を示す図。
【図６】プロジェクターの動作を示すフローチャートであり、（ａ）は撮像開始操作検出及び撮像部引き出し検出時の動作を示し、（ｂ）は撮像停止操作検出及び撮像部収納検出時の動作を示し、（ｃ）は音声信号検出時の動作を示し、（ｄ）は表示モード切替操作検出時の動作を示す図。
【図７】２画面表示モードを示す図であり、（ａ）はＳｉｄｅ  ｂｙ  ｓｉｄｅを示し、（ｂ）はＰｉｃｔｕｒｅ  ｉｎ  Ｐｉｃｔｕｒｅ表示を示す図。
【発明を実施するための形態】
【００２０】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００２１】
（第１実施形態）
図１は、本実施形態のプロジェクター１の斜視図である。図１（ａ）は、プロジェクター１を背面から見た図であり、図１（ｂ）は、プロジェクター１を前面から見た図である。
図１（ａ）、（ｂ）に示すように、プロジェクター１は、外装を構成する筐体２によって装置本体が覆われた構成を有している。筐体２の前面２ｆには、外部のスクリーンＳＣ（図３、図４参照）等に画像（画像光）を投写する投写レンズ１３が露出している。筐体２の背面２ｂには、記録媒体であるＤＶＤメディアＭを挿入するためのディスクスロット３が設けられている。また、筐体２の背面２ｂには、リモートコントローラー（リモコン／ＲＣとも称する）２３から送信される操作信号を受信するための操作信号受信部２４が配置されている。筐体２の右側面２ｒ、及び左側面２ｌには音声出力部としてのスピーカー４１がそれぞれ備えられている。
【００２２】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアＭを排出するための操作キー（イジェクトキー）は、筐体２の背面２ｂ（ディスクスロット３の近傍）に配置されており、それ以外の操作キーは、筐体２の上面２ｔに配置されている。
また、リモコン２３にも、本体操作部２２と同様、プロジェクター１に対して各種指示を行うための複数の操作キーが備えられており、プロジェクター１を遠隔操作することが可能になっている。
【００２３】
筐体２には、被写体を撮像可能な撮像部３０が収納可能に備えられている。
図２に示すように、撮像部３０は、筐体２の上面２ｔから引き出して使用する構造になっており、撮像アーム３０ａの先端に撮像ヘッド３０ｂが回転可能に備えられている。撮像ヘッド３０ｂには撮像レンズ３０ｃが備えられており、撮像レンズ３０ｃを通して撮像した被写体の画像が撮像ヘッド３０ｂ内の画像取得部３０ｄ（図４参照）により取得される。
【００２４】
図４は、本実施形態のプロジェクター１の回路構成を示すブロック図である。
図４に示すように、プロジェクター１は、画像投写部１０、制御部２０、記憶部２１、光源制御部２６、撮像部３０、撮像部位置検出部３１、本体操作部２２、操作信号受信部２４、ＤＶＤ再生部２７、画像信号処理部６、ＯＳＤ処理部４、音声信号入力部２５、音声信号処理部４０、スピーカー４１、音声信号検出部４２、電源部３２、電源端子３３等で構成されており、これらは筐体２の内部に収容されている。
【００２５】
画像投写部１０は、画像表示部に相当するものであり、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２７】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２８】
本実施形態では、光源１１として光源ランプ１１ａを用いて投写するプロジェクター１を例示したが、本発明は光源としてＬＥＤ（Light emitting diode）光源やレーザー光源などを用いて投写するプロジェクターにも適用することができる。
また、画像投写部１０は、光源１１、光変調装置としての３つの液晶ライトバルブ１２Ｒ、１２Ｇ、１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００２９】
制御部２０は、図示しないＣＰＵ（Central Processing Unit）や、各種データ等の一時記憶に用いられる図示しないＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピュータとして機能する。
【００３０】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では、１つの画像を画像投写部１０に投写させる１画面表示モードと、２つの異なる画像を所定の配置で画像投写部１０に投写させる２画面表示モードとのいずれかを設定可能なモード情報２１ａが記憶される。
【００３１】
２画面表示モードでの表示例を図３、及び図７（ａ）、（ｂ）に示す。
図３に示すように、２画面表示モードは、プロジェクター１から外部のスクリーンＳＣの画像表示枠Ｐに、撮像部３０が撮像した撮像画像（撮像画像Ｐ１）と、ＤＶＤ再生部２７が読み出した画像情報（ＤＶＤ画像Ｐ２）と、を所定の配置で投写している。
図７（ａ）は、Ｓｉｄｅ  ｂｙ  Ｓｉｄｅ表示モードであり。画像表示枠Ｐに、撮像画像Ｐ１と、ＤＶＤ画像Ｐ２と、が並んで表示される。図７（ｂ）は、Ｐｉｃｔｕｒｅ  ｉｎ  Ｐｉｃｔｕｒｅ表示モードであり、画像表示枠Ｐ内において撮像画像Ｐ１が、ＤＶＤ画像Ｐ２内に収まるよう表示される。
なお、図７は、画面モードにおいて、撮像画像Ｐ１とＤＶＤ画像Ｐ２とを、所定の位置の一例としての表示枠Ｐに配置して投写する例である。本実施例では２画面表示モードにおいて、あらかじめどの配置で表示するかが設定されているものとする。
【００３２】
本体操作部２２、及びリモコン２３は、上述したように複数の操作キーを備えており、ユーザーからの入力操作（操作キーの操作）を受け付ける入力操作部に相当するものである。
【００３３】
複数の操作キーには、上述したイジェクトキーの他に、電源のオンとオフとを切り替えるための電源キーや、ＤＶＤメディアＭの再生を開始させるための再生キー、ＤＶＤメディアＭの再生を停止させるための停止キー、撮像部３０に撮像を開始させるための撮像キー、撮像を停止させるための撮像停止キー、撮像部３０の撮像画像、またはＤＶＤメディアＭの再生画像のいずれかを表示させる１画面表示モードと、両方の画像を表示させる２画面表示モードを切り替えるためのモード切替キー等が含まれ、これらは、本体操作部２２、及びリモコン２３の双方に備えられている。
【００３４】
また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。
【００３５】
ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００３６】
画像信号処理部６は、撮像部３０から入力される画像情報（撮像画像情報）と、ＤＶＤ再生部２７から入力される画像情報（ＤＶＤ画像情報）、のいずれか一方、または両方を、制御部２０の指示に基づいて選択し、液晶ライトバルブ１２Ｒ、１２Ｇ、１２Ｂの各画素の階調を表す画像情報、即ち各画素に印加する駆動電圧を規定するための画像情報に変換する。
画像信号処理部６は、モード情報２１ａが１画面表示モードに設定されているときは、撮像画像情報、ＤＶＤ画像情報のいずれか一方を表示し、モード情報２１ａが２画面表示モードに設定されているときは、撮像画像情報、ＤＶＤ画像情報の両方を所定の配置で表示するような画像情報に変換する。
さらに、画像信号処理部６は、制御部２０の指示に基づいて、変換した画像情報に対して、明るさ、コントラスト、シャープネス、色合い等を調整するための画質調整処理等を行う。画像信号処理部６で画質調整等がなされた画像情報は、ＯＳＤ処理部４に出力される。
【００３７】
ＤＶＤ再生部２７は、記録媒体としてのＤＶＤメディアＭに記録された画像情報、及び音声情報を読み出す読出部に相当するものであり、挿入センサー２７１、メディア搬送部２７２、装着センサー２７３、データ読取部２７４、データ処理部２７５等を含んで構成されている。
【００３８】
挿入センサー２７１は、ディスクスロット３の近傍に配置され、ＤＶＤメディアＭの一部がディスクスロット３に挿入されたことを検出して制御部２０に通知する。
【００３９】
メディア搬送部２７２は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２７内におけるＤＶＤメディアＭの搬送を行う。
具体的には、ユーザーがＤＶＤメディアＭの一部をディスクスロット３に挿入し、挿入センサー２７１がこの挿入を検出すると、制御部２０は、メディア搬送部２７２に指示をして、ＤＶＤメディアＭを内部に引き込んでターンテーブル（図示せず）上に装着させる。また、ユーザーによりイジェクトキーが操作されると、制御部２０は、メディア搬送部２７２に指示をして、ターンテーブルからＤＶＤメディアＭを離脱させ、ディスクスロット３から排出させる。
【００４０】
装着センサー２７３は、ターンテーブルの近傍に配置され、ターンテーブルにＤＶＤメディアＭが装着されていることを検出して制御部２０に通知する。
【００４１】
データ読取部２７４は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２７４によって読み取られたデータストリームは、データ処理部２７５に順次出力される。
【００４２】
データ処理部２７５は、デマルチプレクサーやデコーダー等で構成され、制御部２０の指示に基づいて、データ読取部２７４から入力されるデータストリームを画像情報と音声情報とに分離する処理や、分離した画像情報、及び音声情報をデコード（復号化）する処理等を行う。
データ処理部２７５は、復号化された画像情報を画像信号処理部６に出力し、復号化された音声情報を音声信号処理部４０に出力する。なお、ＤＶＤ再生部２７が、ＤＶＤメディアＭからデータストリームを読み取って、このデータストリームに基づく画像情報、及び音声情報を出力することを、本明細書では「画像情報を再生する」または「ＤＶＤを再生する」と表記する。
【００４３】
制御部２０は、本体操作部２２、またはリモコン２３が再生キーの操作を受け付けると、ＤＶＤ再生部２７に指示をして、画像情報の再生を開始させ、本体操作部２２、またはリモコン２３が停止キーの操作を受け付けると、ＤＶＤ再生部２７に指示をして、画像情報の再生を停止させる。
【００４４】
挿入センサー２７１、及び装着センサー２７３は、例えば、メカニカルスイッチ、光センサー、磁気センサー等の各種検出手段を用いて構成することができる。また、装着センサー２７３に関しては、上記光ピックアップが受光する反射光の信号レベルによってＤＶＤメディアＭの装着の有無を検出する態様とすることも可能である。
【００４５】
ＯＳＤ処理部４は、制御部２０の指示に基づいて、投写画像（撮像画像、またはＤＶＤ画像）上に、メニュー画像やメッセージ画像等のＯＳＤ（オンスクリーンディスプレイ）画像を重畳して表示するための処理を行う。
ＯＳＤ処理部４は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部６から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部４は、画像信号処理部６から入力される画像情報を、そのまま液晶駆動部１４に出力する。
【００４６】
液晶駆動部１４は本実施形態における画像形成部であり、画像信号処理部６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４７】
撮像部３０は、撮像レンズ３０ｃ、及び画像取得部３０ｄを備える。画像取得部３０ｄは、例えば、ＣＣＤイメージセンサー（Charge Coupled Device Image Sensor）などの固体撮像素子などで構成され、撮像レンズ３０ｃを介して撮像された撮像画像情報が画像取得部３０ｄによって取得される。本体操作部２２またはリモコン２３による撮像開始操作を検出すると、画像取得部３０ｄが撮像を開始し、撮像画像情報を画像信号処理部６に出力する。
【００４８】
撮像部位置検出部３１は、メカニカルスイッチや光学センサーなどで構成され、撮像部３０が筐体２に収納されたか、引き出されて撮像可能状態になったかの位置を検出し、制御部２０に通知する。制御部２０は、撮像部位置検出部３１により、撮像部３０が引き出されて撮像可能状態になったことを検出した場合、撮像部３０に撮像を開始させ、撮像部位置検出部３１により、撮像部３０が収納されたことを検出した場合、撮像部３０に撮像を停止させる。
【００４９】
電源部３２には、ＡＣ１００Ｖ等の電力が電源端子３３を介して外部から供給される。電源部３２は、例えば、商用電源からの交流電力を所定の電圧の直流電力に変換して、プロジェクター１の各部に供給する。
また、電源部３２は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００５０】
光源制御部２６は、制御部２０の指示に基づいて、光源１１に対する電力の供給と停止とを制御し、光源１１の点灯、及び消灯を切り替える。
【００５１】
音声信号入力部２５は、図示しない音声入力端子より、外部音響機器の音声情報を入力し、音声信号処理部４０に出力する。
【００５２】
音声信号処理部４０は、ＤＶＤ再生部２７、及び音声信号入力部２５より入力された音声信号を、制御部２０の指示に基づいて増幅し、スピーカー４１に出力する。
【００５３】
音声信号検出部４２は、音声信号入力部２５より音声信号入力されているか否かの検出状態を制御部２０に通知する。
【００５４】
スピーカー４１は、音声出力部に相当するものであり、音声信号処理部４０から入力される音声信号をユーザーに聞こえる可聴情報として出力する。
【００５５】
本実施形態のプロジェクター１は、上記のように構成されているため、電源端子３３に電源ケーブル（図示せず）が接続され、電源部３２に電力が供給されると、電源部３２は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。
電力が供給された直後には、プロジェクター１は、スタンバイ状態（「電源オフ状態」ともいう。）であり、光源１１を消灯させた状態を維持している。そして、本体操作部２２、またはリモコン２３に備わる電源キーがユーザーにより操作されると、制御部２０は、電源部３２に指示をして、各部への動作電力の供給を開始させ、プロジェクター１を電源オン状態に移行させる。
【００５６】
プロジェクター１が電源オン状態に移行すると、制御部２０は、光源制御部２６に指示をして光源１１を点灯させる。ユーザーが撮像部３０を筐体２から引き出して被写体の撮像を開始すると、撮像部３０により撮像された撮像画像情報が画像投写部１０から投写される。
また、撮像部３０を筐体２に収納すると、撮像画像の投写を停止する。ユーザーがＤＶＤメディアＭをディスクスロット３に挿入すると、ＤＶＤ再生部２７は、ＤＶＤ画像情報の再生を開始し、画像投写部１０からＤＶＤ画像が投写される。また、ＤＶＤ画像情報の再生が行われている状態で停止キーが操作されると、ＤＶＤ再生部２７は、ＤＶＤ画像情報の再生を停止する。
【００５７】
次に、本実施形態のプロジェクター１の動作を、図５、図６のフローチャートを用いて説明する。
（ＤＶＤ再生開始操作検出時）
図５（ａ）に示すように、プロジェクター１が本体操作部２２、またはリモコン２３よりＤＶＤ再生操作信号を検出すると（ステップＳ１０１）、制御部２０はＤＶＤメディアＭに記録されている画像情報の再生を開始し（ステップＳ１０３）、ステップＳ１０４に移行する。
【００５８】
ステップＳ１０４において制御部２０は、画像投写部１０が撮像部３０の撮像画像を投写中か否かを調べる。撮像画像を投写中の場合（ステップＳ１０４：Ｙ）はモード情報２１ａを２画面表示モードに設定し、撮像画像とＤＶＤ再生画像の２画面表示状態で画像投写部１０に投写させ（ステップＳ１０５）、ステップＳ１０７に移行する。
一方、撮像画像を投写中ではない場合（ステップＳ１０４：Ｎ）はモード情報２１ａを１画面表示モードに設定し、ＤＶＤ再生画像を１画面表示状態で画像投写部１０に投写させ（ステップＳ１０６）、ステップＳ１０７に移行する。
【００５９】
ステップＳ１０７において、本動作フローを終了する。
【００６０】
（ＤＶＤ挿入検出時）
図５（ａ）に示すように、プロジェクター１が、挿入センサー２７１によりＤＶＤメディアＭの挿入を検出し、装着センサー２７３によりターンテーブル上にＤＶＤメディアＭが装着されていることを検出すると（ステップＳ１０２）、制御部２０はＤＶＤメディアＭに記録されている画像情報の再生を開始し（ステップＳ１０３）、ステップＳ１０４に移行する。
【００６１】
ステップＳ１０４以降の動作は上述したので説明は省略する。
【００６２】
（ＤＶＤ再生停止操作検出時）
図５（ｂ）に示すように、プロジェクター１がＤＶＤメディアＭの画像情報を再生中に、本体操作部２２、またはリモコン２３よりＤＶＤ再生停止操作信号を検出（ＤＶＤ停止操作検出）すると（ステップＳ２０１）、制御部２０はＤＶＤメディアＭに記録されている画像情報の再生を停止（ＤＶＤ再生停止）し（ステップＳ２０２）、ステップＳ２０６に移行する。
【００６３】
ステップＳ２０６において制御部２０は、モード情報２１ａが２画面表示モードに設定されているか否かを調べる。
モード情報２１ａが２画面表示モードに設定されている場合（ステップＳ２０６：Ｙ）はモード情報２１ａを１画面表示モードに設定し、撮像部３０の撮像画像を１画面表示状態で画像投写部１０に投写させ（ステップＳ２０７）、ステップＳ２０８に移行する。
一方、モード情報２１ａが２画面表示モードではない場合、即ち１画面表示モードに設定されていた場合（ステップＳ２０６：Ｎ）、ステップＳ２０８に移行する。
【００６４】
ステップＳ２０８において、本動作フローを終了する。
【００６５】
（ＤＶＤ排出操作検出時）
図５（ｂ）に示すように、プロジェクター１が本体操作部２２、またはリモコン２３よりＤＶＤ排出操作信号を検出すると（ステップＳ２０３）、制御部２０はＤＶＤメディアＭに記録されている画像情報の再生を停止し（ステップＳ２０４）、ＤＶＤメディアＭを筐体２より排出させ（ステップＳ２０５）、ステップＳ２０６に移行する。
【００６６】
ステップＳ２０６以降の動作は上述したので説明は省略する。
【００６７】
（撮像開始操作検出時）
図６（ａ）に示すように、プロジェクター１が、撮像部３０が筐体２より引き出され、撮像停止状態において、本体操作部２２、またはリモコン２３より撮像開始操作信号を検出すると（ステップＳ３０１）、制御部２０は撮像部３０に撮像を開始させ（ステップＳ３０３）、ステップＳ３０４に移行する。
【００６８】
ステップＳ３０４において制御部２０は、画像投写部１０がＤＶＤメディアＭの画像情報を投写中か否かを調べる。
ＤＶＤメディアＭの画像情報を投写中の場合（ステップＳ３０４：Ｙ）はモード情報２１ａを２画面表示モードに設定し、ＤＶＤメディアＭの再生画像情報と、撮像部３０の撮像画像を２画面表示状態で画像投写部１０に投写させ（ステップＳ３０５）、ステップＳ３０７に移行する。
一方、ＤＶＤメディアＭの画像情報を投写中ではない場合（ステップＳ３０４：Ｎ）、モード情報２１ａを１画面表示モードに設定し、撮像撮像を１画面表示状態で画像投写部１０に投写させ（ステップＳ３０６）、ステップＳ３０７に移行する。
【００６９】
ステップＳ３０７において、本動作フローを終了する。
【００７０】
（撮像部引き出し検出時）
図６（ａ）に示すように、プロジェクター１が、撮像部３０が筐体２に収納された状態から、筐体２より引き出された、撮像可能状態になったことを検出すると（ステップＳ３０２）、制御部２０は撮像部３０に撮像を開始させ（ステップＳ３０３）、ステップＳ３０４に移行する。
【００７１】
ステップＳ３０４以降の動作は上述したので説明は省略する。
【００７２】
（撮像停止操作検出時）
図６（ｂ）に示すように、プロジェクター１が本体操作部２２、またはリモコン２３より撮像停止操作信号を検出すると（ステップＳ４０１）、制御部２０は撮像部３０による撮像を停止させ（ステップＳ４０３）、ステップＳ４０４に移行する。
【００７３】
ステップＳ４０４において制御部２０は、モード情報２１ａが２画面表示モードに設定されているか否かを調べる（ステップＳ４０４）。
モード情報２１ａが２画面表示モードに設定されている場合（ステップＳ４０４：Ｙ）はモード情報２１ａを１画面表示モードに設定し、ＤＶＤメディアＭの再生画像を１画面表示状態で画像投写部１０に投写させ（ステップＳ４０５）、ステップＳ２０６に移行する。
一方、モード情報２１ａが２画面表示モードでない場合、即ち１画面表示モードに設定されていた場合（ステップＳ４０４：Ｎ）、ステップＳ４０６に移行する。
【００７４】
ステップＳ４０６において、本動作フローを終了する。
【００７５】
（撮像部収納検出時）
図６（ｂ）に示すように、プロジェクター１が、撮像部３０が筐体２から引き出された撮影可能状態から、筐体２に収納された収納状態になったことを検出すると（ステップＳ４０２）、制御部２０は撮像部３０による撮像を停止させ（ステップＳ４０３）、ステップＳ４０４に移行する。
【００７６】
ステップＳ４０４以降の動作は上述したので説明は省略する。
【００７７】
（音声信号検出時）
図６（ｃ）に示すように、プロジェクター１が、音声信号入力部２５から外部音響機器の音声信号が入力されたことを、音声信号検出部４２により検出すると（ステップＳ５０１）、ステップＳ５０２において制御部２０は、ＤＶＤ再生部２７がメディアＭを再生中か否かを調べる。
ＤＶＤメディアＭを再生中の場合（ステップＳ５０２：Ｙ）、制御部２０は音声信号処理部４０により、ＤＶＤメディアＭに記録された音声情報（ＤＶＤ音声）と、音声信号入力部２５より入力される音声情報（入力音声）を重畳させて、スピーカー４１に出力し（ステップＳ５０３）、ステップＳ５０５に移行する。
一方、ＤＶＤメディアＭを再生中ではない場合（ステップＳ５０２：Ｎ）、制御部２０は、音声信号処理部４０により、音声信号入力部２５より入力される音声情報（入力音声）をスピーカー４１に出力し（ステップＳ５０４）、ステップＳ５０５に移行する。
【００７８】
ステップＳ５０５において、本動作フローを終了する。
【００７９】
（表示モード切替操作検出時）
図６（ｄ）に示すように、プロジェクター１が本体操作部２２、またはリモコン２３より表示モード切替操作信号を検出すると（ステップＳ６０１）、制御部２０はモード情報２１ａが２画面表示モードに設定されているか否かを調べる（ステップＳ６０２）。
モード情報２１ａが２画面表示モードに設定されている場合（ステップＳ６０２：Ｙ）、モード情報２１ａを１画面表示モードに設定し、撮像部３０の撮像画像を１画面表示状態で画像投写部１０に投写させ（ステップＳ６０３）、ステップＳ６０７に移行する。
一方、モード情報２１ａが２画面表示モードに設定されていない場合、即ち１画面表示モードに設定されていた場合（ステップＳ６０２：Ｎ）、ステップＳ６０４に移行する。
【００８０】
ステップＳ６０４において制御部２０は、画像投写部１０が撮像部３０の撮像画像を投写しているか否かを調べる。
画像投写部１０が撮像画像を投写している場合（ステップＳ６０４：Ｙ）、ＤＶＤメディアＭの再生画像を１画面表示状態で画像投写部１０に投写させ（ステップＳ６０６）、ステップＳ６０７に移行する。
一方、画像投写部１０が撮像画像を投写していない場合、即ちＤＶＤメディアＭの再生画像を投写している場合（ステップＳ６０４：Ｎ）、モード情報２１ａを２画面表示モードに設定し、撮像部３０の撮像画像と、ＤＶＤメディアＭの再生画像を２画面表示状態で、画像投写部１０に投写し（ステップＳ６０５）、ステップＳ６０７に移行する。
【００８１】
ステップＳ６０７において、本動作フローを終了する。
【００８２】
以上説明したように、本実施形態のプロジェクター１によれば、複雑な接続操作や調整を必要とせずに、ＤＶＤメディアＭなどの記録媒体に記録された画像情報と、撮像部３０が撮像した被写体の画像とを画像表示枠Ｐなどの１画面内に所定の配置で表示し、容易に鑑賞することが可能となる。
【００８３】
また、撮像部３０で撮像した画像を表示中に、記録媒体に記録された画像情報の読み出し、及び停止操作に連動し、撮像画像と記録媒体に記録された画像情報を表示する２画面表示モードと、撮像画像のみを表示する１画面表示モードが切り替えられるので、特別な操作を必要とせずに表示モードを切り替えることが可能になる。
【００８４】
また、撮像部３０で撮像した画像を表示中に、記録媒体の装着、及び排出操作に連動し、撮像画像と記録媒体に記録された画像情報を表示する２画面表示モードと、撮像画像のみを表示する１画面表示モードが切り替えられるので、特別な操作を必要とせずに表示モードを切り替えることが可能になる。
【００８５】
また、記録媒体に記録された画像情報を表示中に撮像部３０を筐体２から引き出す、及び収納する操作に連動し、撮像画像と記録媒体に記録された画像情報を表示する２画面表示モードと、撮像画像のみを表示する１画面表示モードが切り替えられるので、特別な操作を必要とせずに表示モードを切り替えることが可能になる。
【００８６】
また、記録媒体に記録された音声情報を読み出し中に、外部音響機器からの音声信号を検出した場合に、外部音響機器の音声と記録媒体に記録された音声情報とを重畳させて音声出力部に出力する。これにより、特別な操作を必要とせずに、記録媒体に記録された音声情報と外部音響機器の音声を同時に鑑賞することが可能になる。
【００８７】
また、上記実施形態は、以下のように変更してもよい。
（変形例１）
上述した実施形態では記憶媒体としてＤＶＤ（Ｄｉｇｉｔａｌ  Ｖａｒｓａｔｉｌｅ  Ｄｉｓｃ）メディアＭを例に説明したが、これに限るものでなく、例えばＢｌｕ−ｒａｙ（登録商標）ディスク、ＵＳＢメモリーなどのように、画像情報を記憶する記録媒体や、ｉＰｏｄ（登録商標）など画像を記憶する携帯端末でもよい。
【００８８】
例えば、ｉＰｏｄを装着したとき、プロジェクター１により画像を再生するために、ｉＰｏｄの記憶部にアクセスして記録媒体として扱う。この場合、図４のＤＶＤ再生部２７は画像再生部として、データ処理部２７５は画像データ処理部として、データ読取部２７４は画像データ読取部としてそれぞれ機能する。なお、メディア搬送部２７２は不要となる。
【符号の説明】
【００８９】
１…プロジェクター、２…筐体、３…ディスクスロット、１０…画像投写部、１１…光源、１２Ｒ，１２Ｇ，１２Ｂ…液晶ライトバルブ、１３…投写レンズ、１４…液晶駆動部、２０…制御部、２１…記憶部、２２…本体操作部、２３…リモコン、２４…操作信号受信部、２５…音声信号入力部、２７…ＤＶＤ再生部、２７１…挿入センサー、２７２…メディア搬送部、２７３…装着センサー、２７４…データ読取部、２７５…データ処理部、３０…撮像部、３０ａ…撮像アーム、３０ｂ…撮像ヘッド、３０ｃ…撮像レンズ、３０ｄ…画像取得部、３１…撮像部位置検出部、３２…電源部、３３…電源端子、６…画像信号処理部、４…ＯＳＤ処理部、２６…光源制御部、４０…音声信号処理部、４１…スピーカー、４２…音声信号検出部。
【図１】
2012182612.tif 000003
【図２】
2012182612.tif 000004
【図３】
2012182612.tif 000005
【図４】
2012182612.tif 000006
【図５】
2012182612.tif 000007
【図６】
2012182612.tif 000008
【図７】
2012182612.tif 000009